(57)【特許請求の範囲】
【請求項１】
折り曲げ状態で弾性反発力を有するケーブルを備えたバッテリを電子機器内部に保持するバッテリ保持構造を備えた電子機器において、
前記バッテリを挿入する開口部と、前記バッテリの収納時に該バッテリの底面が当接する底壁と、前記底壁に隣接しかつ該バッテリの長手方向の側面が当接する側壁と、前記底壁の前記開口部近傍から突設する突起部とを備えるバッテリ収納スペースと、
前記バッテリ収納スペースの長手方向中心軸線に対して一定量だけ偏倚した状態で当該バッテリ収納スペースの突起部と反対側に隣接して形成され、前記ケーブルが挿通可能となるように少なくともその一部が前記バッテリ収納スペースに連通するようになったケーブル収納スペースとを備え、
前記ケーブル収納スペースは、前記バッテリが前記バッテリ収納スペースに収納され、前記ケーブルが折り曲げられて前記ケーブル収納ケースに収容された時、前記バッテリが、前記ケーブル自体の弾性反発力と、前記ケーブル収納スペースに収容されたケーブルの一部が該ケーブル収納スペースの前記バッテリ収容スペースの壁に押し付けられることで生じる弾性反発力とが合わさったバッテリ収容スペースへの連通方向に働く反発力によって底壁及び側壁に押し付けられると共に、前記突起部により前記バッテリ収納スペースから飛び出さないような容積をもって配置されていることを特徴とするバッテリ保持構造を備えた電子機器。
【発明の詳細な説明】
【技術分野】
【０００１】
本発明は例えば簡易型調節計などの電子機器の内部にバッテリを保持するバッテリ保持構造を備えた電子機器に関する。
【背景技術】
【０００２】
従来、例えば簡易型調節計などの電子機器に電源を供給するために、図２（ａ）に示すように、バッテリ２０を当該機器内部に収納してこれを電源として使用する場合がある。そして、かかるバッテリ２０を電子機器内に収納するにあたって、同図に示すようにバッテリ２０を挿入し易くする必要がある。これに加えて、バッテリ自体の寸法誤差も考慮に入れる必要もある。従って、バッテリ自体の大きさに比べてその分余裕をもったバッテリ収納スペースを必要とする。そのため、一般的な電子機器は通常、バッテリ自体の大きさに加えてバッテリ保持時にその周囲にある程度の隙間Ｇが生じるような余分なスペースをもったバッテリ収納スペース５１を電子機器内部に備えている。特に電子機器に多く用いられるセルを組み合わせてパックする組電池は寸法にばらつきがあるので、余裕をもった収納スペースが必要不可欠とされる。
【０００３】
このように、従来はバッテリ自体の大きさに較べて少し大き目のバッテリ収納スペースにバッテリ２０を収納するため、電子機器内部においてバッテリのがたつきが生じていた。そして、このがたつきを防止するため、図２（ｂ）や図３（ａ）に示すように、バッテリ２０を覆うカバー３０の裏などにばね構造をもった金具６１やスポンジ６２を取り付けて、これらの弾性力を利用してバッテリ２０を収納スペース内に保持することを必要としていた（例えば、特許文献１参照）。
【０００４】
また、図３（ｂ）に示すように、バッテリ収納スペース５１の一部にばね６３を備えて、当該ばね６３の付勢力によってバッテリ２０をカバー３０に常に押し付けることでバッテリのがたつきを防止する構造もあった。
【０００５】
さらには、特別な押さえベルトを用いてバッテリをバッテリ収納スペース内に締結し、当該収納スペース内におけるバッテリのがたつきを防止するようにした構造もあった（例えば、特許文献２参照）。
【０００６】
【特許文献１】特開２００３−１１８３９７号公報（４頁、図２）
【特許文献２】特開平１０−１４５９８４号公報（３頁、図１３）
【発明の開示】
【発明が解決しようとする課題】
【０００７】
特許文献１や特許文献２に開示された電子機器のバッテリ保持構造によると、ばねやスポンジ、バンドなどの付加的部品を特別に使用するため、部品点数が多くなってバッテリ収納作業がやり難くなる欠点がある。また、電子機器自体のコスト高を招いたり、電子機器の組付け性が低下することも欠点としてあげられる。さらには、ばねやスポンジ、バンド等が劣化してしまうと、バッテリ収納スペースにおけるバッテリのがたつきを防止することができなくなるという欠点もある。
【０００８】
本発明の目的は、簡易な構成でバッテリを電子機器内部に長期にわたってしっかりと保持できるバッテリ保持構造を備えた電子機器を提供することにある。
【課題を解決するための手段】
【０００９】
上述の課題を解決するために、本発明にかかるバッテリ保持構造を備えた電子機器は、
折り曲げ状態で弾性反発力を有するケーブルを備えたバッテリを電子機器内部に保持するバッテリ保持構造を備えた電子機器において、
前記バッテリを挿入する開口部と、前記バッテリの収納時に該バッテリの底面が当接する底壁と、前記底壁に隣接しかつ該バッテリの長手方向の側面が当接する側壁と、前記底壁の前記開口部近傍から突設する突起部とを備えるバッテリ収納スペースと、
前記バッテリ収納スペースの長手方向中心軸線に対して一定量だけ偏倚した状態で当該バッテリ収納スペースの突起部と反対側に隣接して形成され、前記ケーブルが挿通可能となるように少なくともその一部が前記バッテリ収納スペースに連通するようになったケーブル収納スペースとを備え、
前記ケーブル収納スペースは、前記バッテリが前記バッテリ収納スペースに収納され、前記ケーブルが折り曲げられて前記ケーブル収納ケースに収容された時、前記バッテリが、前記ケーブル自体の弾性反発力と、前記ケーブル収納スペースに収容されたケーブルの一部が該ケーブル収納スペースの前記バッテリ収容スペースの壁に押し付けられることで生じる弾性反発力とが合わさったバッテリ収容スペースへの連通方向に働く反発力によって底壁及び側壁に押し付けられると共に、前記突起部により前記バッテリ収納スペースから飛び出さないような容積をもって配置されている。
【００１０】
ケーブル収納スペースにケーブルを折り曲げて収納することで、この弾性反発力を利用してバッテリを突起部側に付勢している。これによって、バッテリは突起部と係合してバッテリが当該突起部を乗り上げてバッテリ収納スペースから飛び出すのを確実に防止でき、バッテリを電子機器内部にしっかりと保持する。
【発明の効果】
【００１１】
本発明を実施することで簡易な構成でバッテリを電子機器内部に長期にわたってしっかりと保持するバッテリ保持構造を備えた電子機器を得ることができる。
【発明を実施するための最良の形態】
【００１２】
以下、本発明の一実施形態にかかる電子機器のバッテリ保持構造について図面に基いて説明する。なお、図１（ａ）は本発明の一実施形態にかかる電子機器のバッテリ保持構造をバッテリ挿入側から見た図であり、図１（ｂ）は図１（ａ）のI-I断面図である。
【００１３】
本発明の一実施形態にかかる電子機器のバッテリ保持構造は、電子機器を部分的に示す図１（ａ）及び図１（ｂ）から分かるように、たとえばＰＰ（ポリプロピレン）等でできた筐体１０と、当該筐体１０の一部に形成されたバッテリ収納スペース１１と、バッテリ収納スペース１１と一部連通して形成されたケーブル収納スペース１２とを備えている。なお、同図には図示しないがプリント基板に電子部品が多数実装された状態で、当該プリント基板が電子機器の筐体内に収容されている。また、電子機器内部に収納されるバッテリ２０は、本実施形態の場合、細長の直方体形状をなし、その長手方向端部から一定の長さを有するケーブル２１が導出している。なお、ケーブル２１は折り曲げるとそれ自身元に戻ろうとする弾性反発力を生じるような材質、寸法で構成されている。また、ケーブル２１の端部にはコネクタ２２が接続されて、電子機器に収容された図示しないプリント基板のコネクタと接続して、当該プリント基板に実装された電子部品にバッテリから電力を供給するようになっている。
【００１４】
バッテリ収納スペース１１は保持すべきバッテリ２０の外形よりも若干大きい容積を有し、その一側がバッテリ挿入開口部１１ａとして開口している。また、バッテリ収納スペース１１にはバッテリ２０の一方の端部が当接する底壁１１ｂが形成されるとともに、当該底壁１１ｂのバッテリ挿入開口部近傍にバッテリ飛び出し防止用の突起部１３が突出形成されている。
【００１５】
ケーブル収納スペース１２は、バッテリ収納スペース１１の突起部１３と反対側に隣接して形成され、かつ一部がバッテリ収納スペース１１と連通している。なお、バッテリ収納スペース１１とケーブル収納スペース１２の連通部は、図１（ａ）に示すように、ケーブル２１を十分挿通できる程度の隙間を有している。また、ケーブル収納スペース１２は、同図に示すようにバッテリ収納スペース１１の長手方向中心軸線に対して一定量だけ偏倚して形成されている。また、ケーブル収納スペース１２の容積は収納するケーブル２１の長さに応じて予め定められた容積を有している。この容積は、バッテリ２０に備わったケーブル２１を折り曲げ状態で収納したとき、ケーブル自体が折れ曲がると共にケーブル２１の一部がケーブル収納スペース１２の壁部１２ｂに押し付けられて弾性反発力が生じ、当該弾性反発力がケーブル２１のバッテリ導出側端部に作用してバッテリ２０をバッテリ収納スペース１１の突起部側に押し付ける程度の容積である。
【００１６】
また、ケーブル収納スペース１２とバッテリ収納スペース１１との開口部には、図示しないカバーがラッチ係合によって着脱自在に取り付けられるようになっている。
【００１７】
続いて、以上の構成からなる電子機器のバッテリ保持構造における具体的なバッテリ保持方法とその作用について説明する。まず、ケーブル２１とコネクタ２２を備えたバッテリ２０をバッテリ収納スペース１１の開口部１１ａからバッテリ収納スペース１１に挿入する。そして、バッテリ２０の一方の端部を突起部１３と底壁１１ｂとで形成される凹み部に位置させる。これと同時にケーブル２１も折り曲げた状態でケーブル収納スペース１２に収納する。そして、ケーブル２１のコネクタ２２を電子機器内部に収納された図示しないプリント基板の相手側コネクタに嵌合する。
【００１８】
これによって、バッテリ２０はその一端の動きを底壁１１ｂにおいて突起部１３によって規制される。また、ケーブル収納スペース１２にケーブル２１を折り曲げ状態で収納するので、ケーブル自体の弾性反発力とケーブル２１の一部がケーブル収納スペース１２の壁部１２ｂに押し付けられることで生じる弾性反発力が合わさってケーブル反発力Ｆとなり、このケーブル反発力Ｆがバッテリ２０の一端部（図中、バッテリ２０の下端部）に向かって作用する。そして、当該ケーブル反発力Ｆのバッテリ端面側に働く分力がバッテリ２０をバッテリ収納スペース１１の底壁１１ｂに押し付け、突起部１３と協働してバッテリ２０がバッテリ収納スペース１１から飛び出すのを防止する。また、当該ケーブル反発力Ｆのバッテリ側面側に働く分力がバッテリ２０をバッテリ収納スペース１１の側壁１１ｃに押し付けてバッテリ２０がバッテリ収納スペース内でがたつきなく保持されるようにする。
【００１９】
このように、ケーブル収納スペース１２がバッテリ収納スペース１１の長手方向中心軸線に対して一定量だけ偏倚して形成されているので、ケーブル収納スペース１２に収納されたケーブル２１のケーブル反発力がバッテリ２０をバッテリ収納スペース１１の底壁と側壁の両方に同時に押し付け、かつ突起部１３によってバッテリ２０の飛び出しを防止するので、バッテリ２０をバッテリ収納スペース１１にがたつきなく保持することが可能となる。
【００２０】
続いて、バッテリ収納スペース１１とケーブル収納スペース１２の開口部を図示しないカバーで塞ぐ。これによって、バッテリ２０の保護及び誤操作防止を図る。
【００２１】
このように、ばねやスポンジ、バンドを使用せず、バッテリ自体のケーブルの弾性を利用したバッテリ保持構造としたことで、特別な部品を追加することなく、バッテリ２０のがたつきを抑えることができる。すなわち、ケーブル２１の弾性反発力により、バッテリ２０を電子機器内部にがたつきなく収納でき、突起部１３によりバッテリ収納スペース１１から飛び出すことなくバッテリ２０を収納することが可能となる。また、単にケーブル２１を折り曲げてケーブル収納スペース１２に押し込むと共にバッテリ２０をバッテリ収納スペース１１に挿入するだけの簡単な作業でバッテリ２０を電子機器の内部に保持できるので、従来のようにばね等で付勢されたバッテリをバッテリ収納スペースに押し込んで飛び出さないように押し付けながらカバーを取り付けるという面倒な作業を必要としない。
【００２２】
なお、ケーブル２１による弾性反発力は、ケーブル収納スペース１２の容積、ケーブルの長さや太さ、ケーブルの材質の選択により自在に設定することができる。
【００２３】
また、バッテリ収納スペースとケーブル収納スペースとを一体化して一つの収納スペースとして形成しても良い。しかしながら、本実施形態のようにケーブル収納スペース１２がバッテリ収納スペース１１の長手方向中心軸線に対して一定量だけ偏倚して別個に形成されている方がケーブル２１の折れ曲がり具合を積極的に管理できると共にケーブル反発力を利用してバッテリをバッテリ収納スペースの側壁と底壁双方に押し付けることができるので、バッテリ保持構造としては好ましい。
【００２４】
以上のように、バッテリのがたつき防止や落下防止のために特別な部品を追加することなくバッテリを収納する際のがたつきを防止することができるので、従来の構造に比べて他の部品を必要としない分だけ低コストであると同時に、長期にわたってしっかりとバッテリを保持可能なバッテリ保持構造を備えた電子機器を得ることができる。
【産業上の利用可能性】
【００２５】
簡易型調節計のバッテリ保持構造には限定されず、折り曲げ状態で弾性反発力を有するケーブルを備えたバッテリを収納する電子機器であれば広く適用可能である。
【図面の簡単な説明】
【００２６】
【図１】本発明の一実施形態にかかる電子機器のバッテリ保持構造をバッテリ挿入側から見た図（図１（ａ））、及び図１（ａ）のI-I断面図（図１（ｂ））である。
【図２】従来の電子機器のバッテリ保持構造をバッテリ挿入側から見た図（図２（ａ））、及び図２（ａ）のバッテリをばね付きカバーで押さえ付けた状態を示す断面図（図２（ｂ））である。
【図３】図２（ｂ）とは別の従来の電子機器のバッテリ保持構造を示した図２（ｂ）に対応する断面図（図３（ａ））、及び図２（ｂ）、図３（ａ）とはさらに別の従来の電子機器のバッテリ保持構造を示した図２（ｂ）に対応する断面図（図３（ｂ））である。
【符号の説明】
【００２７】
１０    筐体
１１    バッテリ収納スペース
１１ａ    バッテリ挿入開口部
１１ｂ    底壁
１１ｃ    側壁
１２    ケーブル収納スペース
１２ｂ    壁部
２０    バッテリ
２１    ケーブル
２２    コネクタ
１３    突起部
【図１】
0004640910.tif 000002
【図２】
0004640910.tif 000003
【図３】
0004640910.tif 000004